(57)【特許請求の範囲】
【請求項１】
圧縮機、給湯用熱交換器、減圧装置、熱源用熱交換器を冷媒配管にて接続して形成したヒートポンプサイクルと、
給湯用の液体を貯える貯湯槽と、
前記貯湯槽内の液体が前記給湯用熱交換器を介して循環する液体配管と、
前記液体配管内の液体を循環させるポンプと、
前記冷媒配管内の高圧側圧力を検出する高圧検出手段と、
前記給湯用熱交換器の出湯温度を検出する出湯温度検出手段と、
制御装置と、を備え、
前記制御装置は、前記冷媒配管内の高圧側圧力が第１の所定値に到達したとき、前記ポンプの回転数を上昇させ、前記ポンプの回転数を上昇させてから所定時間経過後の前記高圧側圧力が前記第１の所定値よりも高い第２の所定値を上回った場合には前記圧縮機を停止させ、
前記制御装置は、前記圧縮機を停止させた場合に、前記高圧側圧力が前記第１の所定値に到達したときの前記出湯温度Ａと前記ポンプの回転数を上昇させてから所定時間経過後の前記出湯温度Ｂとの差が所定値以上の場合には前記ヒートポンプサイクルの異常であると判定し、前記差が所定値未満である場合には前記液体が循環する経路での異常であると判定することを特徴とするヒートポンプ式給湯機。
【請求項２】
圧縮機、給湯用熱交換器、減圧装置、熱源用熱交換器を冷媒配管にて接続して形成したヒートポンプサイクルと、
給湯用の液体を貯える貯湯槽と、
前記貯湯槽内の液体が前記給湯用熱交換器を介して循環する液体配管と、
前記液体配管内の液体を循環させるポンプと、
前記冷媒配管内の高圧側圧力を検出する高圧検出手段と、
前記給湯用熱交換器の入水温度を検出する出湯温度検出手段と、
前記給湯用熱交換器の出湯温度を検出する入水温度検出手段と、
制御装置と、を備え、
前記制御装置は、前記冷媒配管内の高圧側圧力が第１の所定値に到達したとき、前記ポンプの回転数を上昇させ、前記ポンプの回転数を上昇させてから所定時間経過後の前記高圧
側圧力が前記第１の所定値よりも高い第２の所定値を上回った場合には前記圧縮機を停止させ、
前記制御装置は、前記圧縮機を停止させた場合に、前記ポンプの回転数を上昇させてから所定時間経過後の、前記入水温度と前記出湯温度との差が所定値以下の場合には前記ヒートポンプサイクルの異常であると判定し、前記差が所定値を上回った場合には前記液体が循環する経路での異常であると判定することを特徴とするヒートポンプ式給湯機。
【請求項３】
前記圧縮機から吐出される冷媒の吐出温度を検出する吐出温度検出手段を設け、
前記制御装置は、前記冷媒配管内の高圧側圧力が第１の所定値に到達したとき、前記ポンプの回転数を上昇させ、前記ポンプの回転数を上昇させてから所定時間経過後の前記吐出温度が第３の所定値を上回った場合には、前記圧縮機を停止させることを特徴とする請求項１または２に記載のヒートポンプ式給湯機。
【発明の詳細な説明】
【技術分野】
【０００１】
本発明は、ヒートポンプ式給湯機に関するものである。
【背景技術】
【０００２】
従来この種のヒートポンプ式給湯機は、冷凍サイクルが高圧異常のときに作動すべき圧力スイッチを高圧側に設け圧力スイッチが作動したときに、ヒートポンプユニットの圧縮機の駆動を停止させている（例えば、特許文献１参照）。
【０００３】
また、高圧保護装置が作動した場合に、前記ヒートポンプサイクルの異常と、前記液体配管に前記貯湯槽内の液体を循環させる循環系の異常のどちらの異常で、前記高圧保護装置が作動したかを判断し表示しているものもある（例えば、特許文献２参照）。
【先行技術文献】
【特許文献】
【０００４】
【特許文献１】特開２００４−１１６８９２号公報
【特許文献２】特開２００９−２４３７７４号公報
【発明の概要】
【発明が解決しようとする課題】
【０００５】
しかしながら、前記従来の構成のように、冷媒配管内の圧力が所定圧力値に到達した場合に圧縮機の運転を停止させる高圧保護装置を備えるのが一般的であるが、停止することのみであり、高圧の上昇を抑制し運転を継続できないこと、また、冷媒配管により環状に接続して構成されるヒートポンプサイクルの異常だけではなく、給湯用の液体を蓄える貯湯槽と貯湯槽内の液体が給湯用熱交換器を介し循環できる液体配管内の循環水系の異常によっても高圧保護装置が作動してしまい、どちらの回路の故障であるか特定が困難となり、サービス性が悪いという課題があった。
【０００６】
本発明は、前記従来の課題を解決するもので、冷媒圧力上昇時においても運転をできるだけ継続できるようにするとともに、運転の継続が不可能の場合には、ヒートポンプサイ
クルの異常であるのか、給湯側の循環水系の異常であるのかを判断できるヒートポンプ式給湯機を提供することを目的とする。
【課題を解決するための手段】
【０００７】
前記従来の課題を解決するために、本発明のヒートポンプ式給湯機は、圧縮機、給湯用熱交換器、減圧装置、熱源用熱交換器を冷媒配管にて接続して形成したヒートポンプサイクルと、給湯用の液体を貯える貯湯槽と、前記貯湯槽内の液体が前記給湯用熱交換器を介して循環する液体配管と、前記液体配管内の液体を循環させるポンプと、前記冷媒配管内の高圧側圧力を検出する高圧検出手段と、前記給湯用熱交換器の出湯温度を検出する出湯温度検出手段と、制御装置と、を備え、前記制御装置は、前記冷媒配管内の高圧側圧力が第１の所定値に到達したとき、前記ポンプの回転数を上昇させ、前記ポンプの回転数を上昇させてから所定時間経過後の前記高圧側圧力が前記第１の所定値よりも高い第２の所定値を上回った場合には前記圧縮機を停止させ、前記制御装置は、前記圧縮機を停止させた場合に、前記高圧側圧力が前記第１の所定値に到達したときの前記出湯温度Ａと前記ポンプの回転数を上昇させてから所定時間経過後の前記出湯温度Ｂとの差が所定値以上の場合には前記ヒートポンプサイクルの異常であると判定し、前記差が前記所定値未満である場合には前記液体が循環する経路での異常であると判定することを特徴とするものである。また、本発明のヒートポンプ式給湯機は、圧縮機、給湯用熱交換器、減圧装置、熱源用熱交換器を冷媒配管にて接続して形成したヒートポンプサイクルと、給湯用の液体を貯える貯湯槽と、前記貯湯槽内の液体が前記給湯用熱交換器を介して循環する液体配管と、前記液体配管内の液体を循環させるポンプと、前記冷媒配管内の高圧側圧力を検出する高圧検出手段と、前記給湯用熱交換器の入水温度を検出する出湯温度検出手段と、前記給湯用熱交換器の出湯温度を検出する入水温度検出手段と、制御装置と、を備え、前記制御装置は、前記冷媒配管内の高圧側圧力が第１の所定値に到達したとき、前記ポンプの回転数を上昇させ、前記ポンプの回転数を上昇させてから所定時間経過後の前記高圧側圧力が前記第１の所定値よりも高い第２の所定値を上回った場合には前記圧縮機を停止させ、前記制御装置は、前記圧縮機を停止させた場合に、前記ポンプの回転数を上昇させてから所定時間経過後の前記入水温度と前記出湯温度との差が所定値以下の場合には前記ヒートポンプサイクルの異常であると判定し、前記差が前記所定値を上回った場合には前記液体が循環する経路での異常であると判定することを特徴とするものである。
【０００８】
これによって、圧力上昇時に、給湯用熱交換器における熱交換量を増大させることで、圧力上昇抑制が可能となる。
【発明の効果】
【０００９】
本発明によれば、冷媒圧力上昇時においても運転をできるだけ継続できるようにするとともに、運転の継続が不可能の場合には、ヒートポンプサイクルの異常であるのか、給湯側の循環水系の異常であるのかを判断できるヒートポンプ式給湯機を提供することができる。
【図面の簡単な説明】
【００１０】
【図１】本発明の実施の形態１におけるヒートポンプ式給湯機の構成図
【図２】同ヒートポンプ式給湯機のポンプの動作図
【図３】同ヒートポンプ式給湯機の高圧抑制動作チャート
【図４】同ヒートポンプ式給湯機の異常検出チャート
【図５】同ヒートポンプ式給湯機の高圧抑制動作および異常検出チャート
【図６】同ヒートポンプ式給湯機の他の高圧抑制動作および異常検出チャート
【発明を実施するための形態】
【００１１】
第１の発明は、圧縮機、給湯用熱交換器、減圧装置、熱源用熱交換器を冷媒配管にて接
続して形成したヒートポンプサイクルと、給湯用の液体を貯える貯湯槽と、前記貯湯槽内の液体が前記給湯用熱交換器を介して循環する液体配管と、前記液体配管内の液体を循環させるポンプと、前記冷媒配管内の高圧側圧力を検出する高圧検出手段と、前記給湯用熱交換器の出湯温度を検出する出湯温度検出手段と、制御装置と、を備え、前記制御装置は、前記冷媒配管内の高圧側圧力が第１の所定値に到達したとき、前記ポンプの回転数を上昇させ、前記ポンプの回転数を上昇させてから所定時間経過後の前記高圧側圧力が前記第１の所定値よりも高い第２の所定値を上回った場合には前記圧縮機を停止させ、前記制御装置は、前記圧縮機を停止させた場合に、前記高圧側圧力が前記第１の所定値に到達したときの前記出湯温度Ａと前記ポンプの回転数を上昇させてから所定時間経過後の前記出湯温度Ｂとの差が所定値以上の場合には前記ヒートポンプサイクルの異常であると判定し、前記差が前記所定値未満である場合には前記液体が循環する経路での異常であると判定することを特徴とするヒートポンプ式給湯機で、圧力上昇時に、給湯用熱交換器における熱交換量を増大させることで、圧力上昇抑制が可能となる。
【００１２】
また、前記ポンプの回転数を上昇させても、前記冷媒配管内の高圧側圧力が上昇した場合には、前記圧縮機の運転を停止させることを特徴とするもので、ヒートポンプサイクル、液体配管内の循環水系の根本的な故障の場合は停止する。
【００１３】
また、前記給湯用熱交換器の前記液体配管側出口に温度検出手段を設け、前記温度検出手段の検出値に基づいて、前記ヒートポンプサイクルの異常か、前記液体配管内の液体を循環させる循環系の異常のかを判断し、表示する構成としたことを特徴とするものである。
【００１４】
これによって、給湯用熱交換器出口温度のみの場合は、ポンプ回転数上昇による給湯用熱交換器における熱交換量を増大により低下する出口温度を検出し、温度低下した場合は液体を循環させる循環系が正常に動作しているため、ヒートポンプサイクルの異常と検出し、温度低下の無い場合は、液体を循環させる循環系に異常があると判定できる。
【００１５】
第２の発明は、圧縮機、給湯用熱交換器、減圧装置、熱源用熱交換器を冷媒配管にて接続して形成したヒートポンプサイクルと、給湯用の液体を貯える貯湯槽と、前記貯湯槽内の液体が前記給湯用熱交換器を介して循環する液体配管と、前記液体配管内の液体を循環させるポンプと、前記冷媒配管内の高圧側圧力を検出する高圧検出手段と、前記給湯用熱交換器の入水温度を検出する出湯温度検出手段と、前記給湯用熱交換器の出湯温度を検出する入水温度検出手段と、制御装置と、を備え、前記制御装置は、前記冷媒配管内の高圧側圧力が第１の所定値に到達したとき、前記ポンプの回転数を上昇させ、前記ポンプの回転数を上昇させてから所定時間経過後の前記高圧側圧力が前記第１の所定値よりも高い第２の所定値を上回った場合には前記圧縮機を停止させ、前記制御装置は、前記圧縮機を停止させた場合に、前記ポンプの回転数を上昇させてから所定時間経過後の前記入水温度と前記出湯温度との差が所定値以下の場合には前記ヒートポンプサイクルの異常であると判定し、前記差が前記所定値を上回った場合には前記液体が循環する経路での異常であると判定することを特徴とするヒートポンプ式給湯機である。
【００１６】
これによって、給湯用熱交換器の入口温度、出口温度による検出方法では、ポンプ回転数上昇にて入口温度と出口温度が近接した場合は、液体を循環させる循環系が正常に動作しているため、ヒートポンプサイクルの異常と検出し温度差がついた場合は、液体を循環させる循環系に異常があると判定することができる。
【００１７】
第３の発明は、前記圧縮機から吐出される冷媒の吐出温度を検出する吐出温度検出手段を設け、前記制御装置は、前記冷媒配管内の高圧側圧力が第１の所定値に到達したとき、前記ポンプの回転数を上昇させ、前記ポンプの回転数を上昇させてから所定時間経過後の
前記吐出温度が第３の所定値を上回った場合には、前記圧縮機を停止させることを特徴とするものである。
【００１８】
以下、本発明の実施の形態について、図面を参照しながら説明する。なお、この実施の形態によって本発明が限定されるものではない。
【００１９】
（実施の形態１）
図１は、本発明の実施の形態１におけるヒートポンプ式給湯機の構成図を示したものである。
【００２０】
圧縮機１、給湯用熱交換器２、減圧装置３、熱源用熱交換器４を冷媒配管５により環状に接続して構成され、減圧装置３の弁開度を調整できるヒートポンプサイクルと、給湯用の液体を蓄える貯湯槽６と、貯湯槽内の液体が前記給湯装置を介し循環できる液体配管８と、液体配管に貯湯槽内の液体を流通させるポンプ７と、冷媒配管５内の高圧圧力を圧縮機１の電力量と回転数及び熱源用熱交換器４の蒸発温度からヒートポンプサイクルの高圧側圧力を検出する高圧検出手段９と、給湯用熱交換器２の入水温度を検出する入水温度検出手段１０と出湯温度を検出する出湯温度検出手段１１と圧縮機１の吐出冷媒温度を検出する吐出温度検出手段１２で構成される。
【００２１】
図２は、本発明のヒートポンプ式給湯機のポンプ７動作を示したものである。
【００２２】
高圧検出手段９が認識した圧力が所定の設定された値αを上回った場合に、まず、ポンプ７の回転数を通常状態よりも大きく上昇させ、給湯用熱交換器２における熱交換量を増大し圧力上昇を抑える。
【００２３】
それでもさらに圧力上昇し所定の設定された値βに到達した場合には、圧縮機を停止し、ポンプ７回転数上昇にて圧力がα´を下回った場合にはポンプ７は通常制御に戻る。
【００２４】
図３は、本発明のヒートポンプ式給湯機の高圧抑制動作をチャートに示したものである。高圧検出手段９が認識した圧力が設定値αを上回った場合、ポンプ７の回転数を増大する。
【００２５】
また、このときの出湯温度検出手段１１の温度Ａを記憶し、合わせてタイマーカウントを開始。ポンプ７回転数増大状態で所定の時間γを経過した場合に出湯温度検出手段１１の温度Ｂを記憶確定する。
【００２６】
圧力がさらに上昇し、設定値βを上回った際には、圧縮機１を停止する。このとき出湯温度検出手段１１の温度Ｂを記憶確定する。圧力が抑制され設定値α´を下回った場合は、通常の設定出湯温度となるポンプ７の制御に戻し、温度Ａ記憶値とタイマーをリセットする。
【００２７】
図４は、ヒートポンプ式給湯機の異常検出動作をチャートに示したものである。温度Ｂが確定した段階で圧縮機１を停止、温度Ａと比較し、温度Ａ−Ｂが設定値Ｃ以上であれば、ポンプ７回転数を上昇させ、給湯用熱交換器２における熱交換量を増大し、出湯温度検出手段１１の検出温度を低下させることが実現できているので、液体配管８に貯湯槽６の液体を循環させる循環系の異常ではないと判断し、ヒートポンプサイクル異常と表示する。
【００２８】
設定値Ｃ以下であればポンプ７回転数を上昇させているにもかかわらず、給湯用熱交換器２の熱交換量を増加させられていないため、液体配管８に貯湯槽６の液体を循環させる
循環系の異常と表示する。
【００２９】
図５は、本発明のヒートポンプ式給湯機の異常検出動作をチャートに示したものである。  
【００３０】
高圧検出手段９が認識した圧力が、設定値αを上回った場合、ポンプ７の回転数を増大する。また、合わせてタイマーカウントを開始する。
【００３１】
ポンプ７回転数増大状態で所定の時間を経過した場合に入水温度検出手段１０の温度Ｄ、出湯温度検出手段１１の温度Ｅを記憶確定する。圧力がさらに上昇し、設定値βを上回った際には、圧縮機１を停止する。
【００３２】
このとき入水温度検出手段１０の温度Ｄ、出湯温度検出手段１１の温度Ｅを記憶確定する。圧力が抑制され設定値α´を下回った場合は、通常の設定出湯温度となるポンプ７の制御に戻し、タイマーと温度Ｄ、Ｅ記憶値をリセットする。
【００３３】
温度Ｄ、Ｅの確定した段階で圧縮機１を停止、温度Ｅ−Ｄが設定値Ｆ以下となった場合、ポンプ７回転数を上昇させ給湯用熱交換器２熱交換量を増大し、出湯温度検出手段１１の検出温度を入水温度検出手段１０の検出温度同等に低下させることが実現できているので、液体配管８に貯湯槽６の液体を循環させる循環系の異常ではないと判断し、ヒートポンプサイクル異常と表示する。
【００３４】
設定値Ｆ以上であればポンプ７回転数を上昇させているにもかかわらず、給湯用熱交換器２の熱交換量を増加させられていないため、液体配管８に貯湯槽６の液体を循環させる循環系の異常と表示する。
【００３５】
また、図６は、ヒートポンプ式給湯機の高圧抑制動作・異常検出チャート図を示すが、圧力β条件には加えて、吐出温度検出手段１２の検出した温度が所定値Ｘ以上となった場合も異常検出動作条件としている。
【産業上の利用可能性】
【００３６】
以上のように、本発明のヒートポンプ給湯機は、給湯機能の他に、例えば、浴槽給湯機能、暖房機能、乾燥機能を有する装置にも適している。
【符号の説明】
【００３７】
１  圧縮機
２  給湯用熱交換器
３  減圧装置
４  熱源用熱交換器
５  冷媒配管
６  貯湯槽
７  ポンプ
８  液体配管
９  高圧検出手段
１０  入水温度検出手段
１１  出湯温度検出手段
１２  吐出温度検出手段
【図１】
0005824609.tif 000002
【図２】
0005824609.tif 000003
【図３】
0005824609.tif 000004
【図４】
0005824609.tif 000005
【図５】
0005824609.tif 000006
【図６】
0005824609.tif 000007